(57)【要約】【課題】カプラン水車等の軸流水車におけるランナコーン下部に死水領域が発生することを抑制することにより、吸出し管損失を低減することが可能なランナコーン、及び、当該ランナコーンを用いた軸流水車を提供すること。【解決手段】本発明の実施の形態は、軸流水車１００のランナボス６に取り付けられるランナコーン１０７であって、下流側端部１０７ｂと、下流側端部１０７ｂに形成された、上流側に向かって窪んだ凹部１０７ｃと、を備えている。【選択図】図１
2019027307.tif 000002
【特許請求の範囲】
【請求項１】
軸流水車のランナボスに取り付けられるランナコーンであって、
下流側端部と、
前記下流側端部に形成され、上流側に向かって窪んだ凹部と、を備えた、ランナコーン。
【請求項２】
前記凹部は、円筒状、円錐状またはすり鉢状の形状を有している、請求項１に記載のランナコーン。
【請求項３】
前記凹部の表面には、前記ランナコーンの回転方向と交差する方向に延在するリブが形成されている、請求項１または２に記載のランナコーン。
【請求項４】
前記凹部の表面には、前記ランナコーンの回転方向と交差する方向に延在する溝が形成されている、請求項１または２に記載のランナコーン。
【請求項５】
軸流水車のランナボスに取り付けられるランナコーンであって、
下流側端部と、
前記下流側端部に形成され、上流側から供給される水を排出するための複数の開口と、
を備え、
前記複数の開口は、下流側から見て、前記ランナコーンの回転軸線を取り囲んで配置されている、ランナコーン。
【請求項６】
前記複数の開口は、下流側から見て、前記ランナコーンの回転軸線と同心の円に沿って、等間隔で配置されている、請求項５に記載のランナコーン。
【請求項７】
前記ランナコーンの上流側から供給される水を前記開口に導く流路を更に備え、
前記流路は、下流側部分が、下流側に向かうにつれて、前記ランナコーンの回転方向に進んでいる、または、当該回転方向とは逆方向に進んでいる、請求項５または６に記載のランナコーン。
【請求項８】
請求項１乃至７のいずれか一項に記載のランナコーンを有する、軸流水車。
【発明の詳細な説明】
【技術分野】
【０００１】
本発明の実施の形態は、プロペラ水車、カプラン水車、バルブ水車、チューブラ水車などの軸流水車に関し、特には、ランナボスに取り付けられ、吸出し管損失を低減可能なランナコーン、及び、当該ランナコーンを有する軸流水車に関する。
【背景技術】
【０００２】
図１２は、従来の軸流水車の一例であるカプラン水車の構成を示す概正面図である。本図では、対称軸線の片側のみが示されている。図１２に示すように、カプラン水車では、水圧鉄管（不図示）を介して上池から導かれた流水がケーシング１を通って複数枚のステーベーン２の全周に流入するようになっている。この流水は、ガイドベーン３を通った後、軸方向に流れを転向させる導水カバー９を経てランナベーン５に導かれる。そして、この流水によりランナベーン５が回転されることにより、回転軸線４と平行に延在する水車主軸を介して発電機（不図示）が回転駆動されるようになっている。ランナベーン５を回転させた流水は、吸出し管１０を経て下流側の下池あるいは河川に放水される。カプラン水車等の軸流水車では、ガイドベーン開度とランナベーン角度との最適な組み合わせによる、いわゆるオンカム運転を行うことで、水の流量を調節し、発電量を変化させている。
【０００３】
カプラン水車等の軸流水車は、任意の出力点においてガイドベーン開度とランナベーン角度との最適な組み合わせで運転が行われるように制御されるため、ランナベーン５から流出する流れの旋回流れが流量変化に伴って大きく変化することは、比較的少ない。すなわち、ランナベーン５から流出する流れは、旋回流れをあまり有していない。この点は、固定羽根ランナを有するフランシス水車等の水車から流出する流れとは、異なっている。
【０００４】
しかしながら、カプラン水車等の軸流水車は、ランナベーン５の角度を運転状態に応じて変化させるための駆動機構（不図示）を有している。この駆動機構は、ランナベーン５を保持しているランナボス６内に内蔵されているため、このランナボス６によって、ランナベーン５が位置するディスチャージリング８の流路断面が４割から５割程度閉塞されている。
【０００５】
図１２に示すように、ランナボス６の下端には、ランナコーン７が取り付けられている。ランナコーン７は、流水にとって最適な流体力学的特性を示すように、形状が定義されている。しかしながら、ランナボス６及びランナコーン７は回転体であるため、カプラン水車等の軸流水車がオンカム運転をする場合においても、ランナコーン７の近傍には、当該ランナコーン７の回転に起因した旋回流れが発生する。このため、ランナコーン７の下部には、死水領域１２が存在することになる。
【０００６】
ここで、ランナコーン７の下部に発生する死水領域１２について、図１３を参照して説明する。図１３はカプラン水車のランナ周りの流れの様子を流れ解析によりシミュレーションした結果を示している。本図では、流れの速さを異なる濃さで段階的に色分けして示しており、白色の領域で最も早く、色が濃くなるにつれて次第に遅くなっていく。図１３に示すように、ランナベーン５から流出した流れは下流に向かって減速するが、この減速は、ランナボス６およびランナコーン７近傍において顕著である。特に、ランナコーン７の下部において、流水が流れ難くなっていることが確認される。このような流水が流れ難くなっている領域が、死水領域１２である。
【０００７】
次に、図１４はランナコーン７の下部の速度分布を、軸流成分と旋回成分とに分けて表した図である。軸流成分は、図中の実線で示されている。上下方向の中央にて左右方向に延びる直線Ｌの上側は、軸流成分が上流側に向かう速度を有していることを示しており、直線Ｌの下側は、軸流成分が下流側に向かう速度を有していることを示している。また、旋回成分は、図中の破線で示されている。直線Ｌの上側は、旋回成分がランナコーン７の回転方向と同じ方向の速度を有していることを示しており、直線Ｌの下側は、旋回成分が当該回転方向と逆方向の速度を有していることを示している。
【０００８】
図１４に示すように、軸流成分（実線）は、中心から離れた領域においては半径方向に概ね一定であるが、中心に近づくと急激に減速し、更に近づくと逆流している。また、旋回成分（破線）は、ランナベーン５と同じ回転方向の旋回流れとなっており、中心から外周側にかけてその流速が若干増加している。水車の運転効率を考慮すると、中心（回転軸線）近傍の旋回成分は可能な限り小さくしたいが、ランナコーン７の影響により旋回成分を持った流れとなっている。以上から、最適な運転をしている場合でさえ、図１４に示すような、軸流水車の性能向上を妨げる一因となるような流れが、生じている。
【０００９】
ランナベーン５から流出する流れの特性は、下流の吸出し管１０の性能に密接に関係する。吸出し管１０へ流入する流れは、中心近傍の死水領域１２が少なく、軸流成分ができるだけ均一に分布している状態が望ましい。
【００１０】
ランナコーン７の下流における流水の挙動についてみると、例えば従来のフランシス水車では、非設計点においてランナコーン７の下流に渦が形成さる。この渦は、部分負荷では振れまわり、一方過負荷では中心部に発生して水圧変動を生じさせ、これにより吸出し管１０の性能を低下させる。この対策として、例えば、ランナコーン７の表面にその回転方向とは逆方向にＶ字の溝を形成する方法、あるいは、フィンを螺旋状に取り付けることによりランナコーン７で発生する渦を抑制し水圧脈動を低減する方法などが提案されている。しかしながら、これらの提案は、渦が発生する起点となるランナコーン７の表面の流れを制御することを目的としているため、軸流水車のようなランナコーン下部に形成される死水領域１２を抑制する際には、その効果は確認されていない。
【００１１】
あるいは、ランナコーン７の内部に回転方向とは逆方向にリブを傾斜させて取付けることにより、ランナコーン７の下部の流れを下流側から上流側に導く、という方法も提案されている。但し、この方法は、ランナベーン５の下流側において外側に流れようとする流水を中心付近に引き戻すことにより、ホワールの発達を抑え込み水圧脈動を抑制するものである。
【先行技術文献】
【特許文献】
【００１２】
【特許文献１】特許４５７６４１４号公報
【特許文献２】特許５３４１７８２号公報
【発明の概要】
【発明が解決しようとする課題】
【００１３】
本発明は、以上の事情に基づいて創案されたものである。すなわち、本発明の目的は、カプラン水車等の軸流水車において、ランナコーンの下部に死水領域が発生することを抑制することにより、吸出し管損失を低減させることが可能なランナコーン、及び、当該ランナコーンを用いた軸流水車、を提供することである。
【課題を解決するための手段】
【００１４】
本実施の形態は、軸流水車のランナボスに取り付けられるランナコーンであって、下流側端部と、前記下流側端部に形成され、上流側に向かって窪んだ凹部と、を備えた、ランナコーンである。
【００１５】
あるいは、本実施の形態は、軸流水車のランナボスに取り付けられるランナコーンであって、下流側端部と、前記下流側端部に形成され、上流側から供給される水を排出するための複数の開口と、を備え、前記複数の開口は、下流側から見て、前記ランナコーンの回転軸線を取り囲んで配置されている、ランナコーンである。
【００１６】
更には、以上のようなランナコーンを備えた軸流水車も、本発明の範囲内である。
【発明の効果】
【００１７】
本発明によれば、カプラン水車等の軸流水車において、ランナコーンの下部に死水領域が発生することが抑制されるため、吸出し管損失を低減させることが可能なランナコーン、及び、当該ランナコーンを用いた軸流水車、を提供することができる。
【図面の簡単な説明】
【００１８】
【図１】本発明の第１の実施の形態によるランナコーンを備えたカプラン水車を示す、部分的な概略正面図である。
【図２】図１のランナコーンの周囲の流れを説明するための図である。
【図３】図１のランナコーンの下方における流水の速度分布を示す図である。
【図４】本発明の第２の実施の形態によるランナコーンを示す概略縦断面図である。
【図５】図４のランナコーンを示す概略底面図である。
【図６】図４の変形例によるランナコーンを示す概略底面図である。
【図７】図４の更なる変形例によるランナコーンを示す概略縦断面図である。
【図８】図７のランナコーンを示す概略底面図である。
【図９】本発明の第３の実施の形態によるランナコーンを示す概略縦断面図である。
【図１０】図９のランナコーンを示す概略底面図である。
【図１１】図９の変形例によるランナコーンを示す概略底面図である。
【図１２】従来のカプラン水車の構成を示す概略正面図であり、対称軸線の片側のみが示されている。
【図１３】図１２のカプラン水車におけるランナコーンの周囲の流れを解析した結果を示す図である。
【図１４】図１３のランナコーンの下方における流水の速度分布を示す図である。
【発明を実施するための形態】
【００１９】
以下に、添付の図面を参照して、本発明による第１の実施の形態を詳細に説明する。
【００２０】
図１は、本発明の第１の実施の形態によるランナコーン１０７を備えたカプラン水車１００を示す概略側面図である。図１では、一点鎖線で示される回転軸線の右側に位置する部分のみが示されている。
【００２１】
図示されているカプラン水車１００は、ランナコーン１０７を除き、従来と略同様の構成を有している。すなわち、図１２と同様に、カプラン水車１００は、回転軸線４周りに回転するランナボス６と、ランナボス６に保持されたランナベーン５と、ランナベーン５の上流側に配置され、水圧鉄管（不図示）及びケーシング１を介してランナベーン５に流入する流水の整流を行うステーベーン２と、ステーベーン２とランナベーン５との間に配置され、流水の整流を行うガイドベーン３と、ランナベーン５を通過した流水を流出させる吸出し管１０と、を備えている。ランナボス６の下流側には、以下に説明するランナコーン１０７が取り付けられている。このランナコーン１０７は、ランナベーン５を通過した流水の整流を行うためのものである。
【００２２】
図１に示すように、本実施の形態によるランナコーン１０７は、カプラン水車１００などの軸流水車のランナボス６に取り付けられるものであって、下流側端部１０７ｂと、この下流側端部１０７ｂに形成され、上流側に向かって窪んだ凹部１０７ｃと、を備えている。
【００２３】
図１に示すように、ランナコーン１０７は、下流側に向かうにつれて次第に先細りとなる形状を有しており、下流側端部１０７ｂと、この下流側端部１０７ｂに形成され、上流側に向かって窪んだ凹部１０７ｃと、を備えている。図１に示すように、凹部１０７ｃは、ランナコーン１０７の回転軸線４に関して対称的なすり鉢状の形状を有している。換言すれば、ランナコーン１０７の下流側端部１０７ｂは、回転軸線４に直交する平面で切断した時の断面形状が円環状となっている。
【００２４】
次に、図２を参照して、本実施の形態によるランナコーン１０７の作用について説明する。図２は、図１のランナコーン１０７の周囲の流れを説明するための図である。
【００２５】
前述したように、本実施の形態によるランナコーン１０７の下流側端部１０７ｂには、凹部１０７ｃが存在しているため、カプラン水車１００の運転時には、凹部１０７ｃ内に流水（動力水）が存在している。この凹部１０７ｃ内に存在する流水は、ランナコーン１０７の回転につられて、当該ランナコーン１０７の回転方向Ｒと同じ方向に回転する。この結果、凹部１０７ｃ内に存在する流体に遠心力が作用するため、当該流水は、凹部１０７ｃの径方向外方に移動する。本実施の形態では、凹部１０７ｃがすり鉢状に形成されているため、流水は、図２の矢印Ａで示すように、凹部１０７ｃの表面（内面）に到達したのち、当該表面に沿って、凹部１０７ｃの縁部１０７ｅまで移動する。
【００２６】
凹部１０７ｃの縁部１０７ｅまで移動した流水は、同様にして径方向外方に移動してきた後続する流水によって、図２の矢印Ｂで示すように、凹部１０７ｃ内から下流側に向かって押し出される。これによって、ランナコーン１０７の下流側端部１０７ｂ近傍に滞留していた低エネルギー水流が、図２の矢印Ｃで示すように、高エネルギー水流側に掻き出される。この結果、死水領域１２（図１３参照）が減少し、ランナベーン５の下流側の吸出し管１０の水力損失が低減される。
【００２７】
以上のような本実施の形態によれば、凹部１０７ｃ内から掻き出される流水によって、ランナコーン１０７の下部に死水領域１２が発生することが抑制される。この効果について、図３を参照して具体的に説明する。
【００２８】
図３は、図１のランナコーン１０７の下方における流水の速度分布を示す図である。図３では、太い線が従来例の速度分布を示しており（図１４に対応）、細い線が本実施の形態における速度分布を示している。また、実線が軸流成分の分布を示しており、破線が旋回成分の分布を示している。本図も、図１４と同様に、軸流成分については、上下方向の中央にて左右方向に延びる直線Ｌの上側が上流側に向かう速度方向を示し、直線Ｌの下側が下流側に向かう速度方向を示している。また、旋回成分については、直線Ｌの上側がランナコーン７の回転方向と同じ方向を示し、直線Ｌの下側が当該回転方向と逆の方向を示している。
【００２９】
図３に示すように、ランナコーン７、１０７の回転軸線４の近傍において、従来は、軸流成分が減速し部分的に逆流しており、旋回成分が回転軸線４から離れるにつれて、次第に増速していた。これに対し、図３に示すように、本実施の形態では、軸流成分の減速ないし逆流と旋回成分の増速との双方が、緩和されている。これにより、吸出し管１０の中心部の流れについて、従来のように低エネルギー流体が下流側へ流下していくことが抑制される。すなわち、吸出し管損失が低減し、カプラン水車１００の運転効率が向上される。
【００３０】
以上から、本実施の形態によれば、ランナコーン１０７の下流側端部１０７ｂに設けられた凹部１０７ｃの存在によって、吸出し管損失を低減することが可能なランナコーン１０７を提供することができる。更に、本実施の形態によるランナコーン１０７を採用することにより、吸出し管損失が低減された軸流水車が提供され得る。
【００３１】
なお、以上の実施の形態では、凹部１０７ｃの形状として、すり鉢状の形状が採用されたが、円筒状、円錐状など、他の形状が採用されても良い。この場合も、吸出し管損失を低減することが可能なランナコーン１０７を提供することができる。
【００３２】
次に、本発明の第２の実施の形態について、図４及び図５を参照して説明する。
【００３３】
図４は、本発明の第２の実施の形態によるランナコーン２０７を示す概略縦断面図であり、図５は、その概略底面図である。
【００３４】
図４に示すように、ランナコーン２０７は、下流側端部２０７ｂに形成された凹部２０７ｃが、円筒状の形状を有している点で、第１の実施の形態とは異なっている。更に、図４及び図５に示すように、当該凹部２０７ｃの表面（内面）には、ランナコーン２０７の回転方向Ｒと交差する方向に延在するリブ２０７ｒが設けられている。具体的には、本実施の形態のリブ２０７ｒは、ランナコーン２０７の回転軸線４と平行に、すなわち当該ランナコーン２０７の回転方向Ｒと直角に交差する方向に、直線状に延在している。リブ２０７ｒは、ランナコーン２０７の回転方向Ｒ（凹部２０７ｃの周方向）に沿って、等間隔で複数形成されていることが好ましい。リブ２０７ｒの数及び寸法は、水車の仕様等を考慮して、適宜に設計され得る。図５に示す例では、８本のリブ２０７ｒが、前記回転方向Ｒに沿って、等間隔で形成されている。その他の構成は、第１の実施の形態と同様であるため、その詳細な説明は省略する。
【００３５】
次に、本実施の形態によるランナコーン２０７の作用について説明する。
【００３６】
前述したように、本実施の形態によるランナコーン２０７の下流側端部２０７ｂには、凹部２０７ｃが存在しているため、カプラン水車の運転時には、凹部２０７ｃ内に流水（動力水）が存在している。この凹部２０７ｃ内に存在する流水は、ランナコーン２０７の回転につられて、当該ランナコーン２０７の回転方向Ｒと同じ方向に回転する。この結果、凹部２０７ｃ内に存在する流体に遠心力が作用するため、当該流水は、凹部２０７ｃの径方向外方に移動する。更に、本実施の形態では、凹部２０７ｃの表面に複数のリブ２０７ｒが形成されているため、つまり凹部２０７ｃの表面に凹凸が形成されているため、凹部２０７ｃ内の流体は、第１の実施の形態よりも効率的に旋回される。これに伴って、凹部２０７ｃ内の流体には相対的に大きな遠心力が作用するため、流水は、凹部２０７ｃの径方向外方に向かって、迅速に移動する。
【００３７】
凹部２０７ｃの円筒状の壁面まで移動した流水は、同様にして当該壁面まで移動してきた後続する流水によって凹部２０７ｃ内から下流側に向かって押し出される。これによって、ランナコーン２０７の下流側端部２０７ｂの近傍に滞留していた低エネルギー水流が高エネルギー水流側に掻き出される。この結果、死水領域１２（図１３参照）が減少し、ランナベーン５の下流側の吸出し管１０の水力損失が低減される。
【００３８】
以上のような本実施の形態によれば、凹部２０７ｃ内から掻き出される流水によって、ランナコーン２０７の下部の死水領域１２の発生が効果的に抑制される。この効果の具体的な内容については、第１の実施の形態にて、図３を参照して説明した通りである。すなわち、本実施の形態によれば、ランナコーン２０７の下流側端部２０７ｂに設けられた凹部２０７ｃの存在によって、吸出し管損失を低減することが可能なランナコーン２０７を提供することができる。更に、本実施の形態によるランナコーン２０７を採用することにより、吸出し管損失が低減された軸流水車が提供され得る。
【００３９】
なお、以下に説明するように、凹部２０７ｃの表面に、リブ２０７ｒに代えて溝２０７ｇが形成されていても、同様の効果を得ることができる。このような変形例について、図６を参照して説明する。
【００４０】
図６は、本発明の第２の実施の形態の変形例によるランナコーン２０７Ａを示す概略底面図である。本変形例は、凹部２０７ｃの表面（内面）に、ランナコーン２０７Ａの回転方向Ｒと交差する方向に延在する溝２０７ｇが形成されている点で、第２の実施の形態とは異なっている。本変形例の場合も、溝２０７ｇの存在によって、凹部２０７ｃの表面に凹凸が形成されているため、凹部２０７ｃ内の流体は、第１の実施の形態よりも効率的に旋回される。これに伴って、凹部２０７ｃ内の流体には、相対的に大きな遠心力が作用するため、流体は、凹部２０７ｃの径方向外方に向かって、迅速に移動する。
【００４１】
したがって、本変形例によっても、凹部２０７ｃ内から掻き出される流水によって、ランナコーン２０７Ａの下部の死水領域１２の発生が効果的に抑制されるため、吸出し管損失を低減することが可能なランナコーン２０７Ａを提供することができる。更に、本変形例によるランナコーン２０７Ａを採用することにより、吸出し管損失が低減された軸流水車が提供され得る。
【００４２】
更に、溝２０７ｇは、機械加工などによって形成され得るため、溶接によって取り付けられるリブ２０７ｒよりも機械的強度が高いというメリットがある。このため、本変形例によるランナコーン２０７Ａを採用することにより、長期の運転においても、水車のメンテナンスのコストを抑えることができる。
【００４３】
次に、図７は、図４の更なる変形例によるランナコーン２０７Ｂを示す概略縦断面図であり、図８は、図７のランナコーン２０７Ｂを示す概略底面図である。
【００４４】
図７に示すように、本変形例によるリブ２０７Ｂｒは、ランナコーン２０７Ｂの回転軸線４と直交する方向から見て、緩やかな弧を描くように湾曲して延在している点で、第２の実施の形態（図４及び図５参照）とは異なっている。具体的には、図７及び図８に示すように、下流側から見て、リブ２０７Ｂｒの下流側端部２０７Ｂｒ２の位置が、リブ２０７Ｂｒの上流側端部２０７Ｂｒ１の位置に対して、ランナコーン２０７Ｂの回転方向において後れる方向にずれている。そして、これら上流側端部２０７Ｂｒ１と下流側端部２０７Ｂｒ２との間の部分が、ランナコーン２０７Ｂの回転方向において後れる方向に凸となるように、湾曲している。なお、図８において、白抜きで示されている端部が上流側端部２０７Ｂｒ１であり、黒く塗りつぶされている端部が下流側端部２０７Ｂｒ２である。
【００４５】
本変形例の場合も、リブ２０７Ｂｒの存在によって、凹部２０７ｃの表面に凹凸が形成されているため、凹部２０７ｃ内の流水が第１の実施の形態よりも効率的に旋回されることになる。これにより、凹部２０７ｃ内の流体には相対的に大きな遠心力が作用するため、流水は、凹部２０７ｃの径方向外方に向かって、迅速に移動する。そして、凹部２０７ｃの円筒状の壁面まで移動した流水は、同様にして当該壁面まで移動してきた後続する流水によって凹部２０７ｃ内から下流側に向かって押し出される。このことにより、ランナコーン２０７の下流側端部２０７ｂの近傍に滞留していた低エネルギー水流が高エネルギー水流側に効率的に掻き出される。このとき、当該低エネルギー水流は、ランナコーン２０７Ｂの回転方向とは逆方向に向かって凹部２０７ｃ内から排出されるため、ランナコーン２０７Ｂの下流側端部２０７ｂの近傍に生じる旋回流の流速が低下することになる。
【００４６】
以上のような本変形例によっても、凹部２０７ｃ内から掻き出される流水によって、ランナコーン２０７Ｂの下部に死水領域１２が発生することが効果的に抑制される。このため、本変形例によっても、吸出し管損失を低減することが可能なランナコーン２０７Ｂを提供することができる。更に、本変形例によるランナコーン２０７Ｂを採用することにより、吸出し管損失が低減された軸流水車が提供され得る。
【００４７】
更に、本変形例では、凹部２０７ｃ内の流体がランナコーン２０７Ｂの回転方向とは逆方向に向かって排出されるため、ランナコーン２０７Ｂの下流側端部２０７ｂ近傍に生じる旋回流の流速を効果的に減速させることができる。この結果、ランナコーン２０７の下部における流水の減速状態を緩和し、軸流速度分布をフラット化させることができる。
【００４８】
なお、リブ２０７Ｂｒの下流側端部２０７Ｂｒ２の位置が、下流側から見て、リブ２０７Ｂｒの上流側端部２０７Ｂｒ１の位置に対してランナコーン２０７Ｂの回転方向において進んだ方向にずれていても良い。この場合、凹部２０７ｃから掻き出される流水がランナコーン２０７Ｂの外壁近傍における流水の流れ方向と同じになるため、凹部２０７ｃからより多く流水を掻き出すことができる。但し、このとき、ランナコーン２０７Ｂの下流側端部２０７ｂの近傍において、旋回成分が若干増速することになる。
【００４９】
また、リブ２０７Ｂｒの形状は、上述したような湾曲形状には限定されない。すなわち、各リブ２０７ｒは、上流側端部２０７Ｂｒ１と下流側端部２０７Ｂｒ２との間に位置している部分が、ランナコーン２０７Ｂの回転方向において進んだ方向に凸となるように、湾曲していても良いし、直線状に形成されていても良い。あるいは、当該部分が、変曲点を挟んで２以上の湾曲部分を有していても、湾曲部分と直線部分とを有していても良い。
【００５０】
以上の第２の実施の形態及びこの変形例によるランナコーン２０７、２０７Ａ、２０７Ｂにおいては、凹部２０７ｃの形状として円筒状の形状が採用されたが、円錐状、すり鉢状などの他の形状が採用されても良い。この場合も、リブないし溝の存在によって、吸出し管損失を低減することが可能なランナコーンを提供することができる。
【００５１】
次に、本発明の第３の実施の形態について、図９及び図１０を参照して説明する。
【００５２】
図９は、本発明の第３の実施の形態によるランナコーン３０７を示す概略縦断面図であり、図１０は、その概略底面図である。
【００５３】
図９及び図１０に示すように、ランナコーン３０７は、下流側端部３０７ｂが当該ランナコーン３０７の回転軸線４と直交する平坦面となっており、この平坦面に複数の開口３０７ａが形成されている点で、第１及び第２の実施の形態とは異なっている。これら複数の開口３０７ａは、上流側から供給された流水を下流側に向けて排出するためのものである。開口３０７ａの数及び寸法は、水車の仕様等を考慮して、適宜に設計され得る。図１０に示すように、複数の開口３０７ａは、下流側から見て、ランナコーン３０７の回転軸線と同心の円Ｃ１に沿って、等間隔で８つ配置されている。
【００５４】
図９に示すように、ランナコーン３０７は、当該ランナコーン３０７の上流側から供給される流水を各開口３０７ａに導く複数の流路３１７を更に有している。複数の流路３１７は、ランナコーン３０７の回転軸線４と平行に各開口３０７ａから上流側に向かって延在している。図示されていないが、各流路３１７の上流端は、例えば、ランナボス６の入口側（上流側）まで連絡している。すなわち、この場合、ランナボス６の入口側の部位から取水し、その水をランナボス６の内部及びランナコーン３０７の各流路３１７を通じて、各開口３０７ａへと供給するようになっている。この水が、各開口３０７ａから下流側へと排出されることにより、ランナコーン３０７の下流側端部３０７ｂの近傍に滞留していた低エネルギー水流が高エネルギー水流側に効率的に移動されるのである。
【００５５】
以上のような本実施の形態によれば、複数の開口３０７ａから排出される流水によって、ランナコーン３０７の下部に死水領域１２が発生することが効果的に抑制される。このため、本実施の形態によっても、吸出し管損失を低減することが可能なランナコーン３０７を提供することができる。更に、このようなランナコーン３０７を採用することにより、吸出し管損失が低減された軸流水車が提供され得る。
【００５６】
なお、取水する位置は、ランナボス６の入口側には限定されず、例えば、ランナベーン５の下流に位置するランナボス６の外壁の高圧部位や、ランナコーン３０７の外壁の高圧部位などであっても良い。ランナベーン５の下流側に取水口を形成する場合、流路３１７の長さが相対的に短くて済み、更に、ランナボス６内にて、ランナベーン５を駆動させるための複雑な駆動機構の隙間を縫って流路を形成する必要が無い。このため、流路３１７を形成するための加工が容易である。
【００５７】
取水口の位置を決定するに当たっては、ランナベーン５の角度を変化させたときに高圧部位の位置がどのように変化するかを予め流れ解析によるシミュレーションによって調査しておくことが好ましい。そして、その結果に基づいて、ランナベーン５の可動範囲を複数の角度範囲に分け、それぞれの角度範囲に対応する高圧部位の位置にそれぞれ取水口を形成することが好ましい。換言すれば、ランナベーン５の角度を変化させたときの高圧部位の移動軌跡に沿って、複数の取水口が形成されていることが好ましい。このことにより、広範囲の運転条件にわたって、死水領域１２が発生することが抑制される。
【００５８】
次に、図１１を参照して、本実施の形態の変形例によるランナコーン３０７Ａについて説明する。図１１は、図９の変形例によるランナコーン３０７Ａを示す概略底面図である。
【００５９】
図１１に示すように、本変形例によるランナコーン３０７Ａは、流路３１７Ａが、ランナコーン３０７Ａの回転軸線（図１１における奥行き方向に延在する軸線）と交差するように延在している点で、第３の実施の形態（図９及び図１０参照）とは異なっている。図示される例では、流路３１７Ａは、少なくとも下流側部分において、下流側に向かうにつれてランナコーン３０７Ａの回転方向Ｒとは逆方向に進んでいる。流路３１７Ａの下流側部分は、例えば、ランナコーン３０７Ａの回転方向において後れた方向に凸となるように湾曲して形成されていて良い。もちろん、このような形状には限定されず、当該下流側部分は、直線状に形成されていても、前記回転方向において進んだ方向に凸となるような湾曲部を有して形成されていても良い。
【００６０】
以上のような本変形例によっても、複数の開口３０７ａから排出される流水によって、ランナコーン３０７Ａの下部に死水領域１２が発生することが効果的に抑制される。すなわち、本実施の形態によっても、吸出し管損失を低減することが可能なランナコーン３０７を提供することができる。更に、このようなランナコーン３０７を採用することにより、吸出し管損失が低減された軸流水車が提供され得る。
【００６１】
更に、本変形例では、流路３１７Ａを通じて供給される流水が複数の開口３０７ａからランナコーン３０７Ａの回転方向とは逆方向に向かって排出されるため、ランナコーン３０７Ａの下流側端部３０７ｂの近傍に生じる旋回流の流速を効果的に減速させることができる。この結果、ランナコーン３０７Ａの下部における流水の減速状態を緩和し、軸流速度分布をフラット化させることができる。
【００６２】
なお、流路３１７Ａは、少なくとも下流側部分において、下流側に向かうにつれてランナコーン３０７Ａの回転方向に進んで形成されていても良い。この場合、複数の開口３０７ａから排出される流水がランナコーン３０７Ａの外壁近傍における流水の流れ方向と同じになるため、当該複数の開口３０７ａからより多く流水を排出させることができる。但し、このとき、ランナコーン３０７Ａの下流側端部３０７ｂの近傍において、旋回成分が若干増速することになる。
【００６３】
以上、本発明の実施の形態を説明したが、上記の実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【符号の説明】
【００６４】
１：ケーシング，２：ステーベーン，３：ガイドベーン，４：回転軸線，５ランナベーン，６：ランナボス，７：ランナコーン，８：ディスチャージリング，９：導水カバー，１０：吸出し管，１２：死水領域，１００，１００ａ：カプラン水車，１０７：ランナコーン，１０７ｂ：下流側端部，１０７ｃ：凹部，１０７ｅ：縁部，２０７，２０７Ａ，２０７Ｂ：ランナコーン，２０７ｂ：下流側端部，２０７ｒ，２０７Ｂｒ：リブ，２０７Ｂｒ１：リブの上流側端部，２０７Ｂｒ２：リブの下流側端部，２０７ｃ：凹部，２０７ｇ：溝，３０７，３０７Ａ：ランナコーン，３０７ａ：開口，３０７ｂ：下流側端部，３１７，３１７Ａ：流路
【図１】
2019027307.tif 000003
【図２】
2019027307.tif 000004
【図３】
2019027307.tif 000005
【図４】
2019027307.tif 000006
【図５】
2019027307.tif 000007
【図６】
2019027307.tif 000008
【図７】
2019027307.tif 000009
【図８】
2019027307.tif 000010
【図９】
2019027307.tif 000011
【図１０】
2019027307.tif 000012
【図１１】
2019027307.tif 000013
【図１２】
2019027307.tif 000014
【図１３】
2019027307.tif 000015
【図１４】
2019027307.tif 000016